(57)【要約】      （修正有）【課題】生花等生産者、仲介者、販売者、システム管理者及び消費者との間で情報共有し、効率的な生産、流通、販売、及び消費を実現するシステムを提供する。【解決手段】生産者１１０が使用する第１のコンピュータと、仲介者１２０が使用する第２のコンピュータと、販売者１３０が使用する第３のコンピュータと、消費者が使用する第４のコンピュータや携帯電話と、システム管理者１５０が使用する第５のコンピュータ１５１をネットワーク接続し、システムとして、生産を支援するための生産支援サブシステム２１０と、流通を支援する流通支援サブシステム２２０と、販売を支援する販売支援サブシステム２３０と、消費者を支援する消費者支援サブシステム２４０を設け、流通支援サブシステム２２０に、生花等を高鮮度に搬送するための梱包資材管理機能２２３を設ける。【選択図】図２
2012038182.tif 000002
【特許請求の範囲】
【請求項１】
生産者が使用する第１のコンピュータと、仲介者が使用する第２のコンピュータと、販売者が使用する第３のコンピュータと、システム管理者が使用する第５のコンピュータとをネットワークを介して接続し、前記第１のコンピュータに生産者の生産情報を入力することのできる生産情報入力手段を設け、前記第２のコンピュータに生産品の入荷量を指定することのできる発注手段を設けるとともに、前記第３のコンピュータに販売者の購入希望情報を入力することのできる購入希望情報入力手段を設け、さらに、前記第５のコンピュータに入力された情報等を蓄積するためのデータベース機能や編集したデータを提供するためのサーバ機能を持たせることを特徴とする生花等生産・流通・販売支援システム。
【請求項２】
前記システムに、消費者が使用する第４のコンピュータまたは携帯電話がネットワーク接続されて会員登録可能とされ、会員登録された消費者は前記販売者から生花等を購入した場合、購入にあたって有利となる特典サービスが付加されるようにしたことを特徴とする請求項１に記載の生花等生産・流通・販売支援システム。
【請求項３】
前記システムは、生花等の生産を支援するための生産支援サブシステムと、生花等の流通を支援するための流通支援サブシステムと、生花等の販売を支援するための販売支援サブシステムと、消費者を支援するための消費者支援サブシステムを含むことを特徴とする請求項２に記載の生花等生産・流通・販売支援システム。
【請求項４】
前記流通支援サブシステムは、生花等生産品を高鮮度に保持した状態で流通させることのできる梱包資材を、少なくとも前記生産者、仲介者、販売者間の流通において効率良く管理するための梱包資材管理機能を備えたことを特徴とする請求項３に記載の生花等生産・流通・販売支援システム。
【発明の詳細な説明】
【技術分野】
【０００１】
本発明は、切花や生花（以下、生花等という。）に特化した生産者によって生産品が生産されてから消費者によりその生産品が消費されるまでの生花等生産品の生産、流通、及び消費を支援するシステムに関し、特に消費者等による生産品の選択を可能にすると同時に小規模小売店の多い販売者に生産者から年間計画生産による需要予測に準じた仕入れ・販売を推進し、更に消費者の満足度を促す品質管理を行い、生産品の品質を保証し平準化された流通管理を行うとともに生花等生産品の出荷梱包・搬送・開封作業を簡易にし、梱包資材の再利用により梱包・搬送・開封作業コストを低減させる流通システムに関する。
【背景技術】
【０００２】
従来の生花等の市場取引においては、通常、生産者が独自に生産品を生産し、その生産品が花卉市場等の仲介者を経由して小売店等の販売者に卸売され、更にその販売店の店舗においてその生産品が最終消費者に販売されるという流通経路がとられる。
【０００３】
また、近年ＷＥＢ市場を利用した通信販売等の直接取引においては、例えば、特許文献１の「花の注文生産システム」のように、上記仲介者や販売者を介することなく、生産者から直接生産品が消費者に配送される流通経路がとられることもある。
【先行技術文献】
【特許文献】
【０００４】
【特許文献１】特開２００７−４８２４４号公報
【発明の概要】
【発明が解決しようとする課題】
【０００５】
しかし、こうした従来の生花等生産品の流通形態には、以下のような問題点が存在する。
第１の問題点は、市場取引においては、生花等生産品の価格が安定しないという点である。生産者は予測される範囲内で需要予測しながら生花等生産品の作付けを行っているが、市場原理、即ち需要と供給のバランスにより生花等生産品の価格が決定される。この結果、需要が多くなれば生花等生産品の価格は高騰し、海外生産品等の入荷により、供給過剰になれば価格は低下する。生花等生産品の市場価格が出荷・搬送等のコスト以下に低下した場合は、生花等生産者は生産利益を得ることができないので、場合により生花等生産品を廃棄することがある。
【０００６】
第２の問題点は、市場取引においては、生花等生産品の出荷梱包、保管、輸送に関するコストの負担が大きいことである。生花等生産品は生産者により市場品質に適合したランクのものを、収穫・梱包されてから、一定期間、生産者・仲介者または販売者において保管温度管理されるため、保管場所の温度管理および在庫管理等に多くの費用が費やされる。
また、生産者、仲介者、販売者間のそれぞれの保管場所で生花等生産品を搬送するための輸送手段についても多くの費用が費やされる。
生産者においては、出荷時生花等の鮮度を保持するため、通常数十本単位に束ねた上ビニールフィルムで梱包し、更に段ボールに百本単位で梱包する等多くの手間と費用が費やされる。
さらに、販売者においては、仕入れた生花等生産品を開封し、販売用に裁断し、再生のため水桶保管等の手段が必要となり、多くの手間と時間と費用とが費やされる。
【０００７】
第３の問題点は、ＷＥＢ市場等を利用した直接取引においては、生産者の生花等生産物を画像等で購入依頼しても、生産者が出荷する生産物と消費者の考える生産品とに事前チェックを行う手段がなく、また生鮮品であるため輸送途中での変質等生産者・消費者間でのトラブルに発生しやすい。
【０００８】
第４の問題点は、消費者の嗜好や市場の傾向が迅速に生花等生産・作付けに反映されない点である。生産者は、独自の判断で生産物を作付けし、他の生産者と出荷時期が重複して価格低下が発生し、端境期に生花等生産品の品薄状態が発生する。従って安定的な価格維持が困難となり、生産物の破棄等の状況に至る場合も発生する。また、販売者においては常時準備すべき生産品の仕入れが価格の高騰や品薄により機会損失が発生しやすい。
【０００９】
第５の問題点は、第２の問題点で指摘した搬送のための梱包コストが生産者および販売者において高負担になることである。梱包のためのフィルム、段ボール箱等の梱包資材は、販売者においては廃棄物になるのみでほとんど再利用することが困難であり、生花等生産品流通・販売における利益率低下の要因となる。また、この方式における長時間搬送は、生花等が仮死状態となるため生花等鮮度の劣化を招きやすい。
【課題を解決するための手段】
【００１０】
従って、本発明の目的は、消費者の需要動向に応じて生産者が適切な年間生産計画に従った生花等生産品を生産することを支援し、流通過程における梱包・搬送等経費の削減と生産品の鮮度保持ができるよう支援する生花等の生産・流通・販売支援システムを提供することである。
【００１１】
また、本発明の他の目的は、計画的な年間生産計画を実施することにより、生産者の作付け生産時期を平準化し、生花等生産効率を上昇させると共に梱包・流通コストを低減させ収入増加をもたらせることである。また、仲介者・販売者においては鮮度保持と流通・開封コストを低減させ、生産品の鮮度維持を行うことにより販売収入増加をもたらせることである。
【００１２】
また、本発明の更に他の目的は、消費者の消費嗜好をいち早くとりいれ、市場の傾向を予測し消費者の嗜好に適合した生産品を提供することである。また、生花等生産品を定期的に希望する消費者の割引等の特典を付与することにより、生花等生産品の消費を拡大することを支援する消費支援システムを提供することである。
【００１３】
そこで本発明は、生産者が使用する第１のコンピュータと、仲介者が使用する第２のコンピュータと、販売者が使用する第３のコンピュータと、システム管理者が使用する第５のコンピュータとをネットワークを介して接続し、前記第１のコンピュータに生産者の生産情報を入力することのできる生産情報入力手段を設け、前記第２のコンピュータに生産品の入荷量を指定することのできる発注手段を設けるとともに、前記第３のコンピュータに販売者の購入希望情報を入力することのできる購入希望情報入力手段を設け、さらに、前記第５のコンピュータに入力された情報等を蓄積するためのデータベース機能や編集したデータを提供するためのサーバ機能を持たせるようにした。
ここで、生産者の生産情報としては、例えば、生産者が生産する生花等の作付け情報、出荷時期、出荷量、出荷品種、生花等のランク、出荷形態等であり、販売者の購入希望情報としては、購入希望品種、購入希望ランク、購入量、購入形態等である。
そして、システム管理者を介して需要と供給を明らかしに、それぞれのコンピュータを通じて必要な情報を提供できるようにすることで、生産者は、需要に応じた生産が可能となり、仲介者や販売者との流通・販路を拡大することが可能となるばかりでなく、販売者は発注作業をコンピュータで行えるようになって鮮度の高い生産品を入手でき、無駄なく安定した価格で生花等生産品を販売でき、安定した収入を得ることができる。
また、販売者間での余剰品または不足品をやりとりすることも可能となる。
【００１４】
なおこの際、前記システムに、消費者が使用する第４のコンピュータまたは携帯電話をネットワーク接続して会員登録できるようにし、会員登録された消費者は前記販売者から生花等を購入した場合、購入にあたって有利となる特典サービスが付加されるようにすれば好適である。こうすることで、消費者は、最寄りの販売者の生花等商品を自由に閲覧でき、購買に付帯する特典サービスや予約注文や時節に応じた生花購買の相談ができるようになる。なお、このような会員登録は、必要に応じて任意に脱会できるようにしておくことが好ましい。
【００１５】
そして本発明では、前記システムに、生花等の生産を支援するための生産支援サブシステムと、生花等の流通を支援するための流通支援サブシステムと、生花等の販売を支援するための販売支援サブシステムと、消費者を支援するための消費者支援サブシステムを設けるようにした。
こうすることで、システムに加入する生産者、仲介者、販売者、消費者すべての利益が図られるようになる。
【００１６】
また本発明では、前記流通支援サブシステムに、生花等生産品を高鮮度に保持した状態で流通させることのできる梱包資材を、少なくとも前記生産者、仲介者、販売者間の流通において効率良く管理するための梱包資材管理機能を設けるようにした。
このような梱包資材管理機能の一例としては、例えば、生花等への保水機能を備えた専用の搬送用パケットを設け、このパケット内に所定数の生花等を収容して搬送することで、生産者や仲介者や販売者が花の鮮度を保持したまま生花等を出荷したり、配送したりできるように管理すれば、包装用フィルムや段ボール等の余分な梱包資材が不要となり、しかも生花等の品質を保持した状態で搬送することができる。
【発明の効果】
【００１７】
生産者と仲介者と販売者とシステム管理者の各コンピュータをネットワーク接続し、生産者の第１のコンピュータに生産情報入力手段を設け、仲介者の第２のコンピュータに生産品の発注手段を設けるとともに、販売者の第３のコンピュータに購入希望情報入力手段を設け、また、システム管理者の第５のコンピュータに、データベース機能やサーバ機能を持たせることにより、生産者は、需要に応じた生産が可能となり、販売者は鮮度の高い生産品を入手でき、無駄なく安定した価格で生花等生産品を販売できるようになる。また、販売者間での余剰品または不足品をやりとりすることも可能となる。
なおこの際、前記システムに、消費者が使用する第４のコンピュータまたは携帯電話をネットワーク接続して会員登録できるようにしておけば、最寄りの販売者の生花等商品を自由に閲覧でき、購買意欲が高まって消費が拡大する。
また、このシステムに、生産を支援するための生産支援サブシステムと、流通を支援するための流通支援サブシステムと、販売を支援するための販売支援サブシステムと、消費者を支援するための消費者支援サブシステムを設けるようにすれば、システムに加入する生産者、仲介者、販売者、消費者すべての利益が図られて好適であり、また、流通支援サブシステムに、生花等生産品を高鮮度に保持した状態で流通させることのできる梱包資材を効率よく管理する梱包資材管理機能を設ければ、搬送中に生花等が傷付いたり水不足でしおれたりするような不具合がない。
【図面の簡単な説明】
【００１８】
【図１】本発明に係る生花等生産・流通・販売支援システムの構成の一実施形態を示す図である。
【図２】本発明に係る生花等生産・流通・販売支援システムの機能ブロックの一実施形態を示す図である。
【図３】本発明に係る生花等生産・流通・販売支援システムで使用される各種テーブルの一実施形態の構成例を示す図である。
【図４】本発明に係る生花等生産・流通・販売支援システムにおける生産者の年間生産計画支援機能画面の一実施形態の表示例を示す図である。
【図５】本発明に係る生花等生産・流通・販売支援システムにおける生産者の生花管理支援機能画面の一実施形態の表示例を示す図である。
【図６】本発明に係る生花等生産・流通・販売支援システムにおける仲介者、販売者の年間生産計画発注機能画面の一実施形態の表示例を示す図である。
【図７】本発明に係る生花等生産・流通・販売支援システムにおける生産者の配送管理画面の一実施形態の表示例を示す図である。
【図８】本発明に係る生花等生産・流通・販売支援システムにおける生花梱包資材の一実施形態の構成例を示す図であり、（ａ）は正面図、（ｂ）は（ａ）のＡ−Ａ線断面図である。
【図９】本発明に係る出荷・配送状況管理機能における生花梱包資材の出荷時のバーコード登録例の一実施形態を示す図である。
【図１０】本発明に係る顧客管理機能における会員顧客の情報登録時の登録例の一実施形態を示す図である。
【図１１】本発明に係る生花等注文機能における会員顧客のウェブサイト購入の一実施形態の構成例を示す図である。
【図１２】本発明に係る生花等注文機能における会員顧客のウェブサイト購入時の商品組み合わせ例の一実施形態を示す図である。
【図１３】本発明に係る生花等生産・流通・販売支援システムに使用されるパーソナル・コンピュータの一実施形態の構成例を示す図である。
【図１４】従来の生産品の流通形態を概念的に示した図である。
【発明を実施するための形態】
【００１９】
本発明の生花等生産・流通・販売支援システムの実施形態を説明する前に、従来の生産、流通、販売、及び消費がどのような態様でおこなわれているかについて、図１４を参照して説明する。
【００２０】
図１４には、生産者１４１０、仲介者１４２０、販売者１４３０、および消費者１４４０と、それらの間の生花等生産品、及び情報の送受信が示されており、生産者１４１０、仲介者１４２０、販売者１４３０、消費者１４４０は、それぞれに対応する場所、人及び組織、機能について概念的に示している。
【００２１】
また、図１４では、市場取引による様態と直接取引による様態が示されている。市場取引では、上部点線ブロックで囲まれたように、まず生産者１４１０によって独自に生産された生産品が、トラック等の輸送手段により仲介者１４２０に出荷される。仲介者１４２０は生産品を卸売市場において競りにより仲買を行う仲買人等の仲介者もしくは販売者１４３０に競り落とされ、売買される。
【００２２】
仲買人等の仲介人もしくは販売者１４３０により入札等された生花等生産品は、再びトラック等の輸送手段により販売者１４３０の販売店まで配送される。ここで販売者１４３０とは、業務生花店または一般の生花店もしくはスーパーマーケット等である。
【００２３】
販売者１４３０から消費者１４４０への生花生産品の受け渡しは、消費者の消費行動即ち購入という形で行われる。販売者１４３０は、消費者１４４０の消費行動を促すため、生花等を店頭において温度管理、ディスプレイ等を実施し、販売する。消費者１４４０は、販売者１４３０の店舗に出向き、好みの生花等生産品を購入し、その代金を支払い、自宅もしくは所望の場所に持ち帰るかまたは配送を依頼する。こうした一連の流れにより、生花等生産品は、生産者１４１０から消費者１４４０に提供される。
【００２４】
一方、直接取引では、年間予約生産品が仲介者１４２０から生産者１４１０に個別の生産品注文がなされる。仲介者１４２０は、年間予約生産品を前項と同様の手順で仲卸もしくは販売者に定期的に競りを通さず頒布する。
【００２５】
このような従来の流通方式では、前述したような５つの問題点が存在する。
【００２６】
前項記述の問題点を解決するため、本発明の生花等生産・流通・販売支援システム１００はなされたものであり、以下、本生花等生産・流通・販売支援システム１００の構成の一実施例を、図１を参照して説明する。
【００２７】
図１の生花等生産・流通・販売支援システム１００は、生産者１１０、仲介者１２０、販売者１３０、消費者１４０、及びシステム管理者１５０を含み、これらはその場所、人及び組織、機能について全体的に表記するという意味では、図１４における従来の生産者１４１０、仲介者１４２０、販売者１４３０、消費者１４４０の場合と同様である。
【００２８】
システム１００は、更に、各拠点の生産者１１０、仲介者１２０、販売者１３０に、それぞれのパーソナル・コンピュータ（第１のコンピュータ１１１、第２のコンピュータ１２１、第３のコンピュータ１３１）複数をそれぞれ配し、消費者１４０に、パーソナル・コンピュータもしくは携帯電話（第４のコンピュータ１４１、携帯電話１４２）複数を配し、システム管理者１５０にサーバ・コンピュータ（第５のコンピュータ１５１）を配し、これらが相互にインターネットを利用したネットワークにより通信可能なように接続されている。
システム管理者１５０のサーバ・コンピュータは、情報系サーバと業務系サーバとに物理的に分離されている。
【００２９】
本システム１００では、システム管理者１５０から年間生産計画情報が生産者１１０および仲介者１２０に提示されると、これに基づいて年間予約生産品が競りを通さないで生産者１１０から仲介者１２０または販売者１３０に生産品が出荷される。出荷用の生花等用梱包資材が生産者１１０のところに出荷時期以前に回送され、出荷時は、この梱包資材を用いて出荷する。仲介者１２０または販売者１３０に配送された生産品は、販売者１３０を経て消費者１４０に頒布される。
以下、本明細書では、生産者１１０から仲介者１２０に送付される生産品を「出荷」といい、生産者１１０から販売者１３０に送付される生産品を「直送」という。
仲介者１２０から販売者１３０に、または販売者間で送付される生産品を「配送」といい、販売者１３０から消費者１４０に生産品が購買・消費されることを「配送等」という。
また、生花等用梱包資材が出荷使用済みになったものを生産者１１０に再利用のため回収し、配送することを「回送」という。
【００３０】
次に、図２を参照して本システム１００の各機能の概略を説明する。
図２には、本システム１００と、そのシステムに図１のネットワークを介して接続された生産者１１０、仲介者１２０、販売者１３０、消費者１４０、及びシステム管理者１５０が管理するサーバ１５１とそのデータベース２５０が示されている。
図１に関連して説明した通り、生産者１１０、仲介者１２０、販売者１３０、消費者１４０はその各拠点に複数台配置され、ネットワークに接続されたパーソナル・コンピュータまたは携帯電話等によって、システムと接続される。
【００３１】
サーバ１５１は、システムに必要な各種データおよび配布するアプリケーション・プログラムをデータベース２５０に記憶している。
【００３２】
本システム１００は、大きく４つのサブシステム、即ち主として生花等の生産を支援する生産支援サブシステム２１０、主として生花等の流通を支援する流通支援サブシステム２２０、主として生花等の販売を支援する販売支援サブシステム２３０、及び主として消費者を支援する消費者支援サブシステムを含んでいる。
【００３３】
生産支援サブシステム２１０は、更に年間生産計画支援機能２１１、生花管理支援機能２１２、生花等出荷管理支援機能２１３を有している。
【００３４】
各機能の詳細な説明は後述するが、その概要を説明すると、年間生産計画支援機能２１１は、生産者１１０が仲介者１２０および販売者１３０の年間生産計画に基づき、生花等生産品の作付け時期、出荷時期、作付け出荷量、作付け品種、出荷形態、出荷ランクを指定できる機能である。生花管理支援機能２１２は、生産者１１０が、作付け後生花の生育を天候の変化や温度管理等によりスケジュール管理できる機能である。生花等出荷管理機能２１３は、出荷における仲介者１２０または販売者１３０への出荷または直送、配送方式、出荷・着荷等の清算処理を管理できる機能である。
【００３５】
これらの機能により、生産者１１０は、需要に応じた年間計画生産が可能となり、梱包資材の確保から生産品の育成管理までを無駄なく実施することができる。また、本サブシステムにより、仲介者１２０または販売者１３０との流通・販路を拡大することが可能で、無駄なく安定した価格で生花等生産品を販売でき、安定した収入を得ることができる。
なお、本サブシステムは、生産者１１０の他に、仲介者１２０、販売者１３０での閲覧が可能で、仲介者１２０または販売者１３０は、出荷時期・出荷量に合わせて梱包資材を回送できるので、品質保証された生花等生産物を確保することができる。更に本システムが基本的に予約生産という形態をとるため、効率的な管理と需要に適合した生産品を提供することにもなる。
【００３６】
流通支援サブシステム２２０は、更に年間生産計画発注支援機能２２１、配送管理機能２２２、梱包資材管理機能２２３を有している。
【００３７】
各機能の詳細な説明は後述するが、その概要を説明すると、年間生産計画発注支援機能２２１は、仲介者１２０または販売者１３０が月単位の経年変化からの需要予測に基づき、品種、仕入れ量、仕入れ形態、仕入れランクを発注し、そのスケジュールに適合した生産物の提供を可能にする機能である。この際、販売者１３０が発注した情報は、仲介者１２０を経由し、時期に応じて取り纏められた発注が生産者１１０に届く機能を有している。配送管理支援機能２２２は、生産者１１０の生産品の出荷時期に合わせて、配送先、配送ルートを管理する機能である。また、梱包資材管理機能２２３は、出荷時期、出荷量に合わせて、必要な資材を事前に仲介者１２０または販売者１３０からの「回送」を管理する機能を有している。
【００３８】
これらの機能により、生産者１１０は出荷前に「回送」された梱包資材を用いて「出荷」または「直送」に適したタイミングで稼働並びに時間を節約した出荷をすることができる。また、仲介者１２０および販売者１３０は、生産品の出荷タイミング、及び出荷量に合わせて輸送手段を配置することができ、且つ生産品の鮮度を保持した状態で「出荷」または「直送」することができる。
【００３９】
販売支援サブシステム２３０は、更に受発注管理機能２３１、出荷・配送状況管理機能２３２、生花等鮮度管理機能２３３、顧客管理機能２３４を有している。
【００４０】
各機能の詳細な説明は後述するが、その概要を説明すると、受発注管理機能２３１は、仲介者１２０と販売者１３０及び販売者１３０間での生産品の発注・受注処理を可能にする機能である。仲介者１２０は、取扱量により、纏めた生産品を生産者１１０に発注し、仲介者１２０または販売者１３０に「出荷」または「直送」させることができる。出荷・配送状況管理機能２３２は、生産者１１０から仲介者１２０または販売者１３０に「出荷」または「直送」された生産品の移動状況をその梱包資材とともに管理し、生産品現品の所在状況を管理する機能である。
生花等鮮度管理機能２３３は、前機能２３２と共に生産品の出荷方式、温度管理状態、鮮度状態を管理し、鮮度利用期限を表示する機能を有している。顧客管理機能２３４は、販売者１３０の顧客である消費者１４０の情報を登録・管理する機能で優良顧客に対するポイントサービス等の付加サービスを表示管理する機能である。
【００４１】
これらの機能により、販売者１３０は、仲介者１２０への発注業務がコンピュータを用いて行えると同時に発注量により、生産者１１０から鮮度の高い生産品を入手することができ、更には、販売者１３０間での余剰品または不足品を授受することが可能となる。
また、これにより、販売する生花等生産品の破棄歩留まりを向上させ、また搬送費のコストダウンを図る事ができる。一方、販売者１３０は、優良顧客である消費者１４０の個人情報を入力管理することにより、付加サービスや時節に応じた販売促進活動を実施することが可能となる。但し、顧客情報については、システム管理者１５０の管理のもと、仲介者１２０や他の販売者１３０は閲覧不可とされ、データは、システム管理者１５０に集中管理される。
【００４２】
消費者支援サブシステム２４０は、更に生花等注文機能２４１と個人情報登録変更・削除機能２４２を有している。
【００４３】
各機能の詳細な説明は後述するが、その概要を説明すると、生花等注文機能２４１は、消費者１４０が最寄りの販売者１３０の販売品を閲覧・注文することができる機能で、第４のコンピュータ１４１もしくは携帯電話１４２で販売品を閲覧・注文し、更には配送依頼や冠婚葬祭等の相談窓口となる機能である。個人情報登録変更・削除機能２４２は、個人情報保護法に基づく、消費者１４０の個人情報を本人同意の元に、登録変更・削除可能な機能で、登録申込時、ＩＤ及びパスワードを発行し、保護された環境で登録される。更には、同一グループに属する販売者１３０間での購買について特典が付与される機能を有する。
但し、顧客情報については、システム管理者１５０の管理のもと、仲介者１２０や他の販売者１３０が閲覧できないことは、前記段落００３９の場合と同様となる。
【００４４】
これらの機能により、消費者１４０は、最寄りの販売者１３０の生花商品を自由に無料（但し、通信料は別途となる。）で閲覧でき、購買に付帯する特典サービスや予約注文や時節に応じた生花購買の相談ができる。一方、個人情報保護法に基づく管理されたデータ管理により、随時、個人情報の開示や削除が可能となる。更に、消費者の前記属性情報等の利用により、新規消費者の開拓や販売品の宣伝が容易に可能となる。
【００４５】
システム管理者１５０が管理するデータベース２５０には、本システム１００の上記各機能を実現するために必要なデータが保存されている。データは、データベースとしてテーブル形式で保持されるが、機能毎に参照権限が異なるように用意される。
【００４６】
図３に、本システムで使用する主要なテーブル例を示す。図３−（ａ）の生産者管理テーブル２５１は、生産者１１０の属性管理を行い、作付け日付から出荷までの管理を行う。図３−（ｂ）の販売者管理テーブル２５２は、販売者１３０の属性管理を行い、購入日付から購入量、販売先、販売量までの管理を行う。
図３−（ｃ）の流通管理テーブル２５３は、梱包資材８００の所在管理を行い、梱包された生花等と共に流通上の所在を確認する。図３−（ｄ）の顧客管理テーブル２５４は、販売者１３０と消費者１４０の属性管理を行い、消費者１４０の購入履歴、取得ポイント管理等を行う。これらのテーブルは、本システムの理解を容易にするための一部例を示したのであって、実際は、他の項目からなるテーブルがＲＤＢ形式で追加される。
【００４７】
また、生産者管理テーブル２５１、販売者管理テーブル２５２、流通管理テーブル２５３のほとんどの項目は、本システム立ち上げ時に予め登録されていることが必要である。もちろん、稼働後、本システム１００を利用する生産者１１０、販売者１３０等を追加することも可能で、１レコード毎追加される。
【００４８】
顧客管理テーブル２５４は、消費者１４０が本システム１００に参加し、個人情報の登録を許諾した場合に、１レコード毎追加され、消費者１４０にユニークなＩＤとＰＷが発行され、登録可能となる。もちろん、登録後、本人の意思により削除することも可能となる。
【００４９】
次に、本システム１００が提供する各機能について、更に詳細に説明する。
【００５０】
最初に図２に示す生産支援サブシステム２１０は、仲介者１２０及び販売者１３０からの生産品予約等の情報をデータベース２５０から受信し、それらを対応する生産者１１０に提供することにより、生花等生産品の生産支援を行う。具体的には、以下の機能を有する。
【００５１】
（ 年間生産計画支援機能２１１）
仲介者１２０又は販売者１３０は、各々のコンピュータ１２１、１３１から年間各月における生産品の品種、需要量、並びにランクを指定することができる。これらの指定内容はＤＢ２５０内の生産者管理テーブル２５１に記憶される。この内容は、ネットワークを介して生産者１１０、仲介者１２０、及び販売者１３０が閲覧参照することができる。但し、生産者１１０は、自身への生産品発注情報を確認し、出荷時期等の情報を入力することができるが他の生産者１１０の情報は、リスト形式では参照できないものとする。この年間生産計画発注支援機能については、図４に示す年間生産計画指定画面４００を参照して更に詳細に説明する。
【００５２】
年間生産計画指定画面４００には、複数の生産者の情報リストが表示される。この例では、リスト上から生産者を選択しマウス等でクリックすると副画面に生産者１１０の情報４１０、並びに生産品の詳細、出荷可能時期、必要梱包資材数等が表示される。生産者１１０は、自己の副画面において、予定される生産情報を記入することができる。仲介者１２０及び販売者１３０また許可された消費者１４０は、生産者の情報リストを閲覧することが可能となる。
【００５３】
これら複数の生産者リストは、仲介者１２０及び販売者１３０が、後に説明する年間生産計画発注機能２２１の指定により、それぞれ生産品等を指定した場合に指定された生産者のみがリストとして選択される。その指定結果はデータベース２５０内の生産者管理テーブル２５１に記憶される。
【００５４】
（ 生花管理支援機能２１２）
生産者１１０は、仲介者１２０又は販売者１３０からの生産依頼を受け、生産者１１０のコンピュータ１１１に生産依頼の情報を受領することができる。生産者１１０は、この年間発注に基づき、生産品の管理をコンピュータ１１１上で管理することが可能となる。この生花管理支援機能画面５００を、図５を参照して更に詳細に説明する。
【００５５】
生花管理支援機能画面５００には、仲介者１２０又は販売者１３０から生産依頼をされている生花等生産品のリスト５１０、及び生花等生産品の出荷送付先５２０、出荷可能な予定日５３０が表示される。生産者１１０は、この管理画面５００上で生育状況による出荷日や出荷量の調整が可能で梱包資材の数量、手配時期等も管理することが可能となる。
【００５６】
この生花管理支援機能画面５００は、部分的にネットワークを介して仲介者１２０、販売者１３０及び許可された消費者１４０が閲覧参照することができる。この閲覧により、仲介者１２０、販売者１３０は生花等生産品の育成状況並びに製品の入手期日等を確認することが可能となる。
【００５７】
更には、出荷時期が明確になることにより、後に説明する梱包資材管理機能２２３と連携し、段ボールなどによる生花の仮死状態での搬送ではなく、生花等搬送梱包資材８００の利用による生花搬送とそれに必要な梱包資材８００の必要数の事前配送が可能となる。
【００５８】
この生花管理支援機能画面５００は、データベース２５０内の生産者管理テーブル２５１、及び流通管理テーブル２５３に記憶され、必要に応じて生産者１１０、仲介者１２０、販売者１３０及び許可された消費者１４０に必要部分の開示がなされる。
【００５９】
（生花等出荷管理支援機能２１３）
生産者１１０は、前記の年間生産計画及び生花管理機能から、出荷予定が確定した場合、梱包材量を含む流通資材の手配並びに梱包方法等を管理する。従来の段ボール等による梱包や生花等搬送梱包資材８００による搬送方式の決定並びに梱包資材の事前手配、配送先の指定等を設定することができる。（不図示）
【００６０】
また、生産者１１０が生花等搬送梱包資材８００による搬送を選択した場合、後述するように、搬送資材に取り付けられたＩＣチップコードまたはバーコードラベルにより生産者１１０、仲介者１２０、及び販売者１３０がその生産物の所在場所等を閲覧・検索することが可能となっている。
【００６１】
次に流通支援サブシステム２２０は、生産者１１０からの生花等生産品出荷等の情報をデータベース２５０から受信し、それらを対応する生産者１１０、仲介者１２０及び販売者１３０に提供することにより、生花等生産品の流通支援を行う。具体的には、以下の機能を有する。
【００６２】
（ 年間生産計画発注機能２２１）
仲介者１２０又は販売者１３０は、歴年の販売実績等から該当月の注文依頼を行い、仲介者の第２のコンピュータ１２１及び販売者の第３のコンピュータ１３１から注文依頼の情報を発信することができる。データベース２５０は、この年間発注量に基づき、生産品の受注管理を生産者の第１のコンピュータ１１１上で、また発注管理を第２、第３コンピュータ１２１、１３１で管理することが可能となる。この年間生産計画発注機能について、図６に示す年間生産計画指定６００を参照して更に詳細に説明する。
【００６３】
年間生産計画指定画面６００には、複数の仲介者１２０及び販売者１３０の情報リストが表示される。この例では、リスト上に該当月に発注した仲介者１２０又は販売者１３０のリストが表示され、各販売者の注文品の注文数６１０、注文者名、注文者コード６２０、梱包資材数６３０等が表示される。更に、その行をマウス等でクリックすると販売者の注文条件の詳細情報等が表示される。（不図示）
【００６４】
年間生産計画指定画面６００では、複数の仲介者１２０及び販売者１３０の発注例を表示しているが、生産者１１０をキーとする生花等生産品目、あるいは生花等生産品目をキーとする複数生産者のリストを表示することが可能でそれぞれの利用者権限により操作及び参照可能な表示画面が異なる。
【００６５】
（ 配送管理機能２２２）
生産者１１０、仲介者１２０、及び販売者１３０は、生産者１１０が発送した生花生産品を第１のコンピュータ１１１に登録すると、その情報はデータベース２５０を経由して参照することが可能となり、随時その所在を確認することができる。図７に示す配送管理画面７００では、生産者１１０が、指定した運送業者に生花等生産品を搬送委託したリストが表示される。一般に生花等生産の場合、仲介者１２０、及び販売者１３０は流通コストを負担しないので搬送委託される運送業者は、生産者１１０が指定する業者となる。
【００６６】
そのため、データベース２５０は、リレーショナルなサブテーブルとして、生産者１１０が搬送委託する業者情報（不図示）を持ち、生産者１１０は、データの入力及び参照が、仲介者１２０及び販売者１３０は、配送管理画面７００を参照することが可能となる。
【００６７】
配送管理画面７００では、生産者１１０が生産した生産品７１０を、搬送委託
した業者７３０に仲介者１２０への「出荷」経由かもしくは販売者１３０への「直送」かの指定７２０、また出荷日、着荷日搬送方法等の指定することが可能となる。
【００６８】
（ 梱包資材管理機能２２３）
生産者１１０、仲介者１２０、及び販売者１３０は、生花生産品を段ボール等の従来の梱包資材とは異なる再利用可能なパケットによる搬送により高鮮度の生花等生産品を流通させることが可能で、そのパケットをＩＣチップもしくはバーコードラベルによりデータベース２５０上で管理することができる。図８にパケットの概要を示す。
【００６９】
図８に示す生花等搬送梱包資材８００では、（ａ）において正面図を、（ｂ）において（ａ）のＡ−Ａ線断面図を示している。
梱包資材８００は、生花等を搬送するときは、生花等に対する保水機能を持たせて鮮度を保持するとともに生花等の破損を防止できるようにされ、また、生花等を搬送した後再利用するため回送するときは、数個のパーツに分解して嵩張らないようにされ、本実施例では、土台となる基盤台８５０と、この基盤台８５０の上に載置され且つ基盤台８５０の中央の穴部に嵌め込み式で組み込み可能な搬送用パケットとしての水槽８６０ａを一体に備えた水槽付きテーブル８６０と、基盤台８５０下方の四隅に形成される通し孔や、水槽付きテーブル８６０の四隅の通し孔に嵌合して上方に延出する四本の通しパイプ８９１と、両側部に通しパイプ８９１を挿通せしめることのできるパイプ部８８０ｐを備え、且つ上部の周囲四面に配設されるプラスチック製等の四枚の側板８８０と、上部を覆う天板８９０を備えており、前記側板８８０には、複数の空気穴が形成されており、生花等を搬送中に傷がついたりするのを防止して、品質を良好に保持したまま搬送できるようにされている。
また、側板８８０や、天板８９０や、通しパイプ８９１は、例えば蝶番等によって折り畳み可能にされている。
【００７０】
そして、水槽８６０ａの中には所定量の水が貯留されており、この水槽８６０ａの中に生花等を切り取った状態で、例えば１００〜２００本程度さし込み、四隅に通し孔を有する天板８９０を被せることで、上下方向に複数段段積み可能にし、生花等を保護しながら搬送する。このような生花等搬送梱包資材８００を使用することで、搬送中の生花等の鮮度や品質を保持でき、しかも、輸送量の増加が見込めると同時に段ボール梱包時のフィルムによる包装や着荷後開封時の段ボール開封作業や開封時の廃棄物の廃棄や水揚げ作業が不要となる。
【００７１】
そして、このような生花等搬送梱包資材８００は、着荷後、側板８８０や天板８９０を、通しパイプ８９１から引き抜くことにより、基盤台８６０と水桶付きテーブル８６０はそのまま陳列や保存に用いることができる。また、側板８８０、天板８９０及び通しパイプ８９１を、蝶番等によってコンパクトに折畳んで生産者に回送することで、繰り返して使用することができ、半永久的に使用可能でコスト削減につながる。
【００７２】
更に、本発明では、生花搬送梱包資材の側板８８０の下部などに、ＩＣチップもしくはバーコードラベルを貼り付け、これを出荷時に読取り、第１のコンピュータ１１１から取り込むことにより、生花等生産品の所在確認のトレースが可能となるようにしている。
【００７３】
次に販売支援サブシステム２３０は、複数の販売者１３０から季節需要を見込む生花等販売品の情報を仲介者１２０がデータベース２５０から受信し、それらを対応可能な生産者１１０に出荷依頼をすることにより、生花等生産品の販売支援を行う。具体的には、以下の機能を有する。
【００７４】
（ 受発注管理機能２３１）
本システムに加入している複数の販売者１３０は、生花等販売品の需要に応じて生花等販売品の仕入れ数量、配送予定日を第３のコンピュータ１３１に登録する。仲介者１２０は、データベース２５０を経由して、第２のコンピュータ１２１に受注リストを表示し、受注先、受注量、配送先、配送量を管理することができる。仲介者１２０は、受注量に応じて生産者１１０に予め予約生産を依頼している生花等生産品の発注及び配送先、配送方法を指定することができる。また、需要量によっては、通常の市場における競りによる販売を実施することも可能であり、その判断は仲介者１２０の判断による。生産者１１０は、仲介者１２０からの発注情報を第１のコンピュータ１１１で確認し、指定された配送に基づき、生産品を受注・発送する。（不図示）
【００７５】
（ 出荷・配送状況管理機能２３２）
仲介者１２０は、受発注の情報を元に、複数の生産者１１０に予め予約された生花等生産品の「直送」か、または、市場での競りによる販売生産品の「出荷」を促すが、その際の搬送方式も通知することができる。予約生花等生産品については、「直送」もしくは「出荷」時期を事前に知ることが可能となるので、予め必要となる量の梱包用資材を出荷予定日前に「回送」する。
【００７６】
生産者１１０は、仲介者１２０の発注情報を元に、データベース２５０から出荷・配送情報を第１のコンピュータ１１１に取得し、出荷方式（箱詰めか、梱包資材使用か）、出荷先（直送か市場への出荷か）を確定後、生花等の梱包作業を実施する。その際、梱包資材を使用する場合、梱包資材のバーコードを出荷時に読み取らせ、コードと梱包内容を第１のコンピュータ１１１を用いて登録し、運搬搬送業者に引き渡した時点で出荷終了ボタンを押下する。図９では、梱包資材８００を使用して出荷する形態例を示している。
【００７７】
生産者１１０から出荷された梱包資材８００を使用した生産品は、データベース２５０上で出荷状態となり、仲介者１２０または販売者１３０で着荷の入力がされるまでは、搬送途上にあることが分かり、運搬搬送業者と連携することにより、生産品の所在管理及びトレースが可能となる。
【００７８】
（ 生花等鮮度管理機能２３３）
生産者１１０から仲介者１２０または販売者１３０に「出荷」あるいは「直送」された生産品は、出荷日時および着荷日時が第１、第２、第３のコンピュータ１１１、１２１、１３１によりデータベース２５０上にロギングされるので生産品の鮮度状態を管理することが可能となる。また、販売者１３０が生産品（ここでは消費者への販売品となる）入荷後、販売品の鮮度保証日時の経過が把握可能となるので、鮮度保証日時を経過しそうな販売品に関して、保障期間切れの前に業務用生花などへの振替が可能となり、売れ残り等による廃棄処理を減らすことが可能となる。（不図示）
【００７９】
（ 顧客管理機能２３４）
消費者１４０が、販売者１３０から販売品を購入した際、消費者１４０の承認を得て消費者１４０の個人情報を販売者１３０の第３のコンピュータ１３１または消費者１４０自身が保有する第４のコンピュータ１４１または携帯電話１４２から登録入力することができる。
【００８０】
消費者１４０の個人情報は、システム管理者１５０が管理するウェブサイトにアクセスされ、ＩＤとパスワード認証されて初めて登録可能となる。いわゆる、httpsを用いたＳＮＳと同等の機能を有する。図１０では、ウェブサイト上での個人情報会員登録画面１０００の例を示す。顧客登録を希望する旨をウェブサイトから入力すると、データベース２５０は、顧客用の登録画面から、システム管理者１５０が管理する第５のコンピュータ１５１でのＩＤとパスワードを認証・発行し、メールにより登録した消費者１４０の第４のコンピュータ１４１または携帯電話１４２に通知される。画面１０００では、メールでのＩＤ、パスワード取得後の画面を示し、１０１０でＩＤ、パスワード入力・確認後、１０２０以下個人情報を登録する。
【００８１】
販売者１３０が消費者１４０の承認を得て、販売者１３０の第３のコンピュータ１３１で消費者１４０の個人情報を登録する場合に限り、初期の消費者の購入金額を入力することができ、その消費者１４０に購入金額に応じたサービスポイントを付加できる。
【００８２】
消費者１４０が自身の第４のコンピュータ１４１または携帯電話１４２から個人情報会員登録を行った場合は、会員登録ポイントとして初期サービスポイントが付加される。以降、消費者１４０は、会員となり、ネットワークに所属する複数の販売者１３０を閲覧することが可能となり、所属する登録した販売者１３０と異なる複数の販売者１３０から販売品を購入しても金額によるポイントサービスもしくはディスカウントサービスを享受することが可能となる。
【００８３】
次に消費者支援サブシステム２４０は、消費者１４０の個人情報をデータベース２５０に登録し、ＳＮＳのネットワークに属することにより、複数の販売者１３０から販売者が販売する生花等の情報を画面等で閲覧することが可能となり、各種のサービスを享受することができる。また、個人情報保護法に基づく、自己のデータの登録・閲覧・変更・削除が任意に可能となり、必要に応じて会員を退会することができるよう消費者支援を行う。
具体的には、以下の機能を有する。
【００８４】
（ 生花等注文機能２４１）
いわゆる、ネット通販と同様の機能で、ＳＮＳに属する複数の販売者１３０から購入希望の販売品を任意に購入することができる。この場合、消費者１４０が最寄りの販売者１３０に出向き、閲覧して納得した販売品と同等のものを自身の目で確認し購入することもでき、また、消費者１４０の第４のコンピュータ１４１または携帯電話１４２から配送先等を指定してウェブサイトで購入・支払いも可能となる。
【００８５】
ウェブサイトから購入を希望する場合も消費者１４０は、ＳＮＳにＩＤとパスワードを入力の上、販売品の購入手続きを行うことになる。図１１の画面１１００にその例を示す。この例では、ＳＮＳ会員となった消費者がネットで商品を選択して購入手続きする例となる。
消費者１４０が購入手続きをした場合、配送先が指定されると配送先の最寄りの販売者１３０にデータベース２５０を経由して生花等のアレンジメント並びに配送が行われるので消費者１４０が抱く送付販売品と現品との差異はほぼなくなる。
【００８６】
また、本システム１００では、ウェブサイトの購入閲覧エリアに相談窓口を設けているので、冠婚葬祭や各種イベント等の相談や問い合わせを行うことができ、販売者１３０を通じて、結婚式場や斎場等通常相談や問い合わせ経験のない事例に関して気軽に相談することが可能となる。
【００８７】
更に、本システム１００では、他業種企業とのジョイントが可能で、誕生日や命日などの消費者１４０個人または周辺関係者によるイベントに関わる生花等のみならず他商品との組み合わせによる商品の販売・送付が可能となる。図１２の画面１２００にその組み合わせ例を示す。
【００８８】
（ 個人情報登録・変更・削除機能２４２）
本システム１００では、前述の通り、個人情報保護法の個人情報管理に基づきシステム管理者１５０は、ＩＰＡのＰマークもしくはＩＳＭＳに基づく個人情報管理をネットワークに所属する販売者１３０および消費者１４０の承認を得てデータベース２５０に蓄積する。従って消費者１４０は、自己の都合により任意に自己の個人情報の登録・閲覧・削除等をシステム管理者２５０に申請・承認を得て実施することが可能となる。
【００８９】
また、販売者１３０の優良顧客である消費者１４０は、データベース２５０上で販売者１３０の固有の消費者１４０であると認識されるので、その固有の消費者１４０が、ネットワーク内の他の販売者１３０を利用しようともその販売利益に関しては、消費者１４０が所属する販売者１３０に還元される。
【００９０】
更に、システム管理者１５０は、蓄積されたデータベース２５０の個人情報に基づき、消費者１４０の承認のもと、イベント情報や葬祭等の案内並びに他の商品とのセット販売および消費者１４０が蓄積したポイント数に基づくサービスの案内などを実施することが可能となり、消費者１４０の購買意欲の増進と販売者１３０の売上・利益向上に益することが可能となる。
【００９１】
次に本システム１００において、生産者１１０、仲介者１２０、販売者１３０、消費者１４０、及びシステム管理者１５０が使用する第１〜第５のコンピュータ（１１１、１２１、１３１、１４１、１５１）及び携帯電話１４２の構成について、図１３を用いて説明する。
本システム１００は、実質的には、これらのコンピュータの各動作とシステムを管理統合するデータベース２５０によって実現されるものであり、これらの果たす機能が、生花等用の梱包資材と相俟って生産者１１０、仲介者１２０、販売者１３０のコスト削減と消費者１４０のサービス向上に益することができる。
【００９２】
また、データベースサーバ２５０は、個人情報を取り扱うため回線キャリアにホスティングされたサーバを利用し、システム的には連携するがメールサーバ及びウェブサーバは各々物理的に分離されたサーバを利用することにより、セキュアな環境を保全することが可能となる。
【００９３】
更に、生産者１１０、仲介者１２０、販売者１３０、及び消費者１４０が使用するソフトウェアは、それぞれ異なるアクセス権限が割り当てられ、その権限は各々のユーザのＩＤとパスワードに紐付けられるので、各々のユーザは自身の与えられた権限内の情報の入力または閲覧が許されることとなる。
【００９４】
ソフトウェアは、各々の権限に応じたアプレットの配布を受けウェブブラウザを閲覧する（シンクライアント形式）こととなるので、ソフトウェア起動の都度、必要な権限の与えられたデータリストを参照・入力することとなる。従ってそのソフトウェアをいったんログアウトした場合は、再度ログインし、データを再ロードする形式となるのでよりセキュアな環境でデータが保存される。
【００９５】
データベース２５０へのアクセスは、ウェブブラウザ参照時にプログラム内部で生成したクエリーを用いてＳＱＬの呼び出しを行うので、外部からの故意によるクエリー文字列等をパラメタに直接引き渡し実行させることがないので安全性は担保される。
【００９６】
図１３のコンピュータ１３００は、ＣＰＵ１３１０、メモリー１３２０、外部記憶装置１３３０、入力装置１３４０（キーボード、マウスなど）、出力装置１３５０、記録媒体及び駆動装置１３６０、ネットワークインターフェース１３７０からなる。
【００９７】
ＣＰＵ１３１０は、コンピュータ１３００内の各構成要素を制御し、ソフトウ
ェアを駆動し、本システム１００の各機能（２１０〜２４０）を実現する。
【００９８】
メモリー１３２０は前記ＣＰＵ１３１０の制御及び各処理を行うためのＣＰＵ１３１０を制御するＯＳ及び本システム１００が使用するソフトウェアプログラム並びにデータを一時的に記憶する。
【００９９】
外部記憶装置１３３０は、コンピュータ内に装備されたハードディスク等の記憶媒体である。本システム１００を実現するソフトウェアの保存先となる。ただし、データについては、外部記憶媒体には記憶されない。
【０１００】
入力装置１３４０は、キーボード、マウス等の入力や画面制御などＣＰＵ１３１０に命令を与え、データを入力することに用いられる。
【０１０１】
出力装置１３５０は、ＣＲＴディスプレイや携帯電話画面を指し、入力予約画面やリスト結果画面、閲覧画面等を表示することに用いられる。また、プリンター等も接続され、伝票・管理表等の印刷に使用される。
【０１０２】
記録媒体及び駆動装置１３６０は、ＤＶＤ−ＲＯＭ、ＣＤ−ＲＯＭ等を指すが本システム１００では、ＯＳのインストール等に利用されるが、本システムではシンクライアント形式を利用するので通常は用いない。必要なソフトウェア並びにデータは、ウェブブラウザからネットワークを経由してダウンロードされるものとする。
【０１０３】
ネットワークインターフェース１３７０はコンピュータ１３００をインターネット１３９０に接続する。ネットワーク１３９０は、図１に示すネットワークに対応するものである。
【０１０４】
本システム１００で各コンピュータにロードされるソフトウェア並びにデータは、そのアクセス権限に応じ、必要なソフトウェアとデータのみがダウンロードされるのでコンピュータが配置された位置により、ダウンロードされるソフトウェア及びデータはそれぞれ異なるものとなる。ただし、カーネルとなるソフトウェアは共通にものとし、必要なソフトウェアのみが提供されるものとする。
【０１０５】
以上、ここまで、本システム１００の説明において、生産品種を特に限定してきてはいないが、特に鮮度を必要とする生花等を計画的に生産できるという点で、適合しているということができる。
【０１０６】
これまで説明してきたように本明細書の生花等生産者、仲介者、販売者、消費者支援システムによって、生産者は、消費者の需要動向により、生産者が適切な生産計画を立てることができる。
【産業上の利用可能性】
【０１０７】
本発明の上記システムにより、生花等を生産する生産者のコストや作業時間が軽減され、仲介者の予約生産による市場の安定と流通コストと時間の節減が図れると同時に、販売者の需要予測に応じた直送による生花等の鮮度維持や開封作業等のコスト並びに作業時間の軽減、およびそれらに伴う利益率の向上が図られ、しかも消費者のサービスポイント付加による購買意欲の増大等が図られるため、生花等を取り扱う市場における多大な普及が期待される。
【符号の説明】
【０１０８】
１１０…生産者、１１１…第１のコンピュータ、１２０…仲介者、１２１…第２のコンピュータ、１３０…販売者、１３１…第３のコンピュータ、１４０…消費者、１４１…第４のコンピュータ、１４２…携帯電話、１５０…システム管理者、１５１…第５のコンピュータ、２１０…生産支援サブシステム、２２０…流通支援サブシステム、２２３…梱包資材管理機能、２３０…販売支援サブシステム、２４０…消費者支援サブシステム、８００…生花等搬送梱包資材。
【図１】
2012038182.tif 000003
【図２】
2012038182.tif 000004
【図３】
2012038182.tif 000005
【図４】
2012038182.tif 000006
【図５】
2012038182.tif 000007
【図６】
2012038182.tif 000008
【図７】
2012038182.tif 000009
【図８】
2012038182.tif 000010
【図９】
2012038182.tif 000011
【図１０】
2012038182.tif 000012
【図１１】
2012038182.tif 000013
【図１２】
2012038182.tif 000014
【図１３】
2012038182.tif 000015
【図１４】
2012038182.tif 000016